【手続補正書】
【提出日】令和1年9月5日(2019.9.5)
【手続補正１】
【補正対象書類名】特許請求の範囲
【補正対象項目名】全文
【補正方法】変更
【補正の内容】
【特許請求の範囲】
【請求項１】
二部材式のハウジングを具備する水中ポンプモータハウジング組立体であって、
前記二部材式のハウジングは、
シール可能ポートが自身内に形成されたハウジング壁により分離されたモータハウジング部分及びポンプモータ構成要素ハウジング部分を備えた第1ハウジング部材であって、前記モータハウジング部分は、オイルをオイル充填レベル線まで充填してモータを受容かつ収容して自身内に配置するモータハウジング室を備えて構成され、前記ポンプモータ構成要素ハウジング部分は、少なくとも一つのポンプモータハウジング構成要素を受容かつ収容して自身内に配置すべく構成されたポンプモータ構成要素ハウジング室を備えて構成され、前記シール可能ポートは、前記少なくとも一つのポンプモータハウジング構成要素から結合されるべき電気接続体が、前記ハウジング壁を貫通通過し、前記モータハウジング部分の前記モータハウジング室内に配置された前記モータに接続されるべく構成される第1ハウジング部材と、
第2の取外し可能なハウジング部材であって、前記モータハウジング部分から前記オイルを排出せずに前記少なくとも一つのポンプモータ構成要素を前記ポンプモータ構成要素ハウジング室内に挿入するために、前記ポンプモータ構成要素ハウジング部分から取り外されるべく、且つ、前記少なくとも一つのポンプモータ構成要素が前記ポンプモータ構成要素ハウジング室内に一旦挿入されたなら、前記ポンプモータ構成要素ハウジング室を閉じるために、前記ポンプモータ構成要素ハウジング部分に対して取付けられるべく構成される第2の取外し可能なハウジング部材と、を有しており、
該水中ポンプモータハウジング組立体は、前記少なくとも一つのポンプモータハウジング構成要素を受容かつ収容すべく構成された容量性カップを具備し、
前記ポンプモータ構成要素ハウジング室は、前記第2の取外し可能なハウジング部材が前記ポンプモータ構成要素ハウジング部分から取り外されたときに、前記容量性カップを受容すべく構成され、
前記容量性カップは、側壁部分及び底壁部分により形成されて前記少なくとも一つのポンプモータハウジング構成要素を受容かつ収容する容量性カップ室を備えて構成され、
前記容量性カップ室からの電気接続体を、前記ポンプモータ構成要素ハウジング室に対し、且つ、前記ハウジング壁の前記シール可能ポートを貫通して前記モータハウジング室内へ通すために、前記底壁部分は、自身内に形成された対応ポートを備えて構成され、
前記ポンプモータ構成要素ハウジング部分は、上側フランジを具備し、且つ、
前記容量性カップは、該容量性カップが前記ポンプモータ構成要素ハウジング部分内に配置されたときに前記上側フランジ上に着座すべく構成されたフランジ部分を具備する、  水中ポンプモータハウジング組立体。
【請求項２】
二部材式のハウジングであって、
自身内に形成されたシール可能ポートを備えるハウジング壁により分離されたモータハウジング部分及び運転用及び始動用コンデンサハウジング部分を備えた第1ハウジング部材であって、前記モータハウジング部分は、オイルをオイル充填レベル線まで充填してモータを受容かつ収容して自身内に配置するモータハウジング室を備えて構成され、前記運転用及び始動用コンデンサハウジング部分は、運転用及び始動用コンデンサハウジング室を備えて構成される第1ハウジング部材と、
前記運転用及び始動用コンデンサハウジング部分に対して着脱可能に結合されるべく前記オイル充填レベル線の上方に形成された取外し可能部材である第2ハウジング部材と、
を有する二部材式のハウジングと、
前記取外し可能部材が前記運転用及び始動用コンデンサハウジング部分から取り外されたときに前記運転用及び始動用コンデンサハウジング室内に受容され且つ着脱自在に配置されるべく構成された容量性カップであって、該容量性カップは、側壁部分及び底壁部分により形成されて少なくとも一つの運転用及び始動用コンデンサの組み合わせ物を受容かつ収容して自身内に配置する容量性カップ室を備えて構成され、前記底壁部分は、自身内に形成された対応ポートであって、前記容量性カップ室内に配置されるべき前記少なくとも一つの運転用及び始動用コンデンサの組み合わせ物の少なくとも一つの運転用及び始動用コンデンサコネクタに結合された電気接続体を、前記運転用及び始動用コンデンサハウジング室を通し、且つ、前記ハウジング壁の前記シール可能ポートを貫通させて、前記モータハウジング部分の前記モータハウジング室内に配置された前記モータの少なくとも一つのモータコネクタに接続すべく構成された対応ポートを有する容量性カップと、
を具備する、水中ポンプモータハウジング組立体。
【請求項３】
前記運転用及び始動用コンデンサの組み合わせ物は、運転用コンデンサ及び始動用コンデンサを具備する、請求項２に記載の水中ポンプモータハウジング組立体。
【請求項４】
前記容量性カップ室は、少なくとも一つの始動スイッチ、モータ取付け構造体、シール用ガスケット、及び配線ハーネスのうちの一つ以上を受容かつ収容する様にも構成される、請求項３に記載の水中ポンプモータハウジング組立体。
【請求項５】
前記運転用及び始動用コンデンサハウジング部分は、前記容量性カップを挿入し且つ取出すための頂部開口を形成する上側フランジを具備し、且つ、
前記第2ハウジング部材は、前記容量性カップが前記運転用及び始動用コンデンサハウジング部分内に挿入された後に前記上側フランジに締結されて前記頂部開口を覆い且つシールすべく構成された取外し可能なハウジングカバーを具備する、請求項１に記載の水中ポンプモータハウジング組立体。
【請求項６】
前記容量性カップは、該容量性カップが前記運転用及び始動用コンデンサハウジング部分内に配置されたときに前記上側フランジ上に着座すべく構成されたフランジ部分を具備する、請求項５に記載の水中ポンプモータハウジング組立体。
【請求項７】
該水中ポンプモータハウジング組立体は、ポンプを有する渦流ポンプ組立体を含むポンプ組立体の一部を形成する、請求項２に記載の水中ポンプモータハウジング組立体。
【請求項８】
前記ポンプは前記モータに対してモータシャフトを介して結合される、請求項７に記載の水中ポンプモータハウジング組立体。
【請求項９】
該水中ポンプモータハウジング組立体は、前記モータハウジング部分内に配置された前記モータを具備し、該モータは少なくとも一つのモータコネクタを有する、請求項２に記載の水中ポンプモータハウジング組立体。
【請求項１０】
該水中ポンプモータハウジング組立体は、前記シール可能ポートをシールするシール用物質を具備する、請求項２に記載の水中ポンプモータハウジング組立体。
【請求項１１】
前記二部材式のハウジングは、一体的な成形品構造である、請求項２に記載の水中ポンプモータハウジング組立体。
【請求項１２】
水中ポンプモータハウジング組立体であって、
モータと
前記モータに接続されるように構成された電気接続体を有する運転用及び始動用コンデンサの組み合わせ物と、
二部材式のハウジングと、を具備しており、
前記二部材式のハウジングは、
シール可能ポートが自身内に形成されたハウジング壁により分離されたモータハウジング部分及びポンプモータ構成要素ハウジング部分を備えた第1ハウジング部材であって、前記モータハウジング部分は、オイルをオイル充填レベル線まで充填してモータを受容かつ収容して自身内に配置するモータハウジング室を備えて構成され、前記ポンプモータ構成要素ハウジング部分は、運転用及び始動用コンデンサの組み合わせ物を受容かつ収容して自身内に配置するポンプモータ構成要素ハウジング室を備えて構成され、前記シール可能ポートは、前記電気接続体が、前記ハウジング壁を貫通通過して前記運転用及び始動用コンデンサの組み合わせ物を前記モータハウジング部分の前記モータハウジング室内に配置された前記モータに接続するように構成されている、第1ハウジング部材と、
第2の取外し可能なハウジング部材であって、前記モータハウジング部分から前記オイルを排出せずに前記運転用及び始動用コンデンサの組み合わせ物を前記ポンプモータ構成要素ハウジング室内に挿入するために、前記ポンプモータ構成要素ハウジング部分から取り外されるべく、且つ、前記運転用及び始動用コンデンサの組み合わせ物が前記ポンプモータ構成要素ハウジング室内に一旦挿入されたなら、前記ポンプモータ構成要素ハウジング室を閉じるために、前記ポンプモータ構成要素ハウジング部分に対して取付けられるべく構成される第2の取外し可能なハウジング部材と、を有しており、
該水中ポンプモータハウジング組立体は、
前記運転用及び始動用コンデンサの組み合わせ物を受容かつ収容するように構成された容量性カップを更に具備しており、
前記ポンプモータ構成要素ハウジング室は、前記第2の取外し可能なハウジング部材が前記ポンプモータ構成要素ハウジング部分から取り外されたとき、前記容量性カップを受容かつ収容するように構成されており、
前記容量性カップは、前記ポンプモータ構成要素ハウジング室から取り外されかつ取り去られるように構成されている、
水中ポンプモータハウジング組立体。
【請求項１３】
水中ポンプモータハウジング組立体であって、
モータと
前記モータに接続されるように構成された電気接続体を有する運転用及び始動用コンデンサの組み合わせ物と、
二部材式のハウジングと、を具備しており、
前記二部材式のハウジングは、
シール可能ポートが自身内に形成されたハウジング壁により分離されたモータハウジング部分及びポンプモータ構成要素ハウジング部分を備えた第1ハウジング部材であって、前記モータハウジング部分は、オイルをオイル充填レベル線まで充填してモータを受容かつ収容して自身内に配置するモータハウジング室を備えて構成され、前記ポンプモータ構成要素ハウジング部分は、運転用及び始動用コンデンサの組み合わせ物を受容かつ収容して自身内に配置するポンプモータ構成要素ハウジング室を備えて構成され、前記シール可能ポートは、前記電気接続体が、前記ハウジング壁を貫通通過して前記運転用及び始動用コンデンサの組み合わせ物を前記モータハウジング部分の前記モータハウジング室内に配置された前記モータに接続するように構成されている、第1ハウジング部材と、
第2の取外し可能なハウジング部材であって、前記モータハウジング部分から前記オイルを排出せずに前記運転用及び始動用コンデンサの組み合わせ物を前記ポンプモータ構成要素ハウジング室内に挿入するために、前記ポンプモータ構成要素ハウジング部分から取り外されるべく、且つ、前記運転用及び始動用コンデンサの組み合わせ物が前記ポンプモータ構成要素ハウジング室内に一旦挿入されたなら、前記ポンプモータ構成要素ハウジング室を閉じるために、前記ポンプモータ構成要素ハウジング部分に対して取付けられるべく構成される第2の取外し可能なハウジング部材と、を有しており、
該水中ポンプモータハウジング組立体は、
前記運転用及び始動用コンデンサの組み合わせ物を受容かつ収容するように構成された容量性カップを更に具備しており、
前記容量性カップは、側壁部分及び底壁部分により形成されて前記運転用及び始動用コンデンサの組み合わせ物を受容かつ収容する容量性カップ室を備えて構成され、
前記運転用及び始動用コンデンサの組み合わせ物を前記モータに接続するために、前記電気接続体を前記容量性カップ室から前記ポンプモータ構成要素ハウジング室へ通し、且つ、前記ハウジング壁の前記シール可能ポートを貫通させて前記モータハウジング室内へ通すために、前記底壁部分は、自身内に形成された対応ポートを備えて構成される、
水中ポンプモータハウジング組立体。